(57)【要約】【課題】余盛りコンクリートが不必要に構真柱に付着するのを回避し、かつ構真柱の内側に入り込んだ余盛りコンクリートの斫り作業を従来に比べてより軽減できて、短時間で容易に斫り作業を完了することができるようにすることにある。【解決手段】中心部分の横断面が＋状に成るように形成した構真柱２の各縦長空間部３の所定箇所に取り付けて前記縦長空間部３の所定箇所の大部分を埋める構真柱２の杭頭処理具１あって、筒体５の一端部を先細に形成すると共に開口両端を蓋５，６で封鎖し更に適宜箇所に複数の空気抜き孔７を設けた構成にしてある。【選択図】  図１
2006200286.tif 000002
【特許請求の範囲】
【請求項１】
中心部分の横断面が＋状に成るように形成した構真柱の各縦長空間部の所定箇所に取り付けて前記縦長空間部の所定箇所の大部分を埋めるものであって、筒体の一端部を先細に形成すると共に開口両端を蓋で封鎖し更に適宜箇所に複数の空気抜き孔を設けた構成からなることを特徴とする構真柱の杭頭処理具。
【請求項２】
中心部分の横断面が＋状に成るように形成した構真柱の各縦長空間部の所定箇所に取り付けて前記縦長空間部の所定箇所の大部分を埋めるものであって、網筒体の一端部を先細に形成すると共に開口両端を網蓋で閉じた構成からなることを特徴とする構真柱の杭頭処理具。
【請求項３】
地盤を所定の深さまで掘削して形成した竪穴に、複数の鉄筋籠を順次連結して建て込むと共に最後に杭キャップを杭頭に備えた鉄筋籠を先の鉄筋籠に連結して建て込み、次に所定の深さまでコンクリートを打設し、次に事前に中心部分の横断面が＋状に成るように形成した構真柱の杭頭部の各縦長空間部に、前記縦長空間部を殆ど埋める下部を先細に形成した杭頭処理具を配して仮止めすると共に、この杭頭処理具を仮止めした箇所の構真柱の周囲を囲繞板で囲繞し仮止めして構真柱の杭頭部の処理を施し、この構真柱をガイド管を介して前記鉄筋籠の中心部に挿入して前記杭頭処理具および鋼板が前記杭キャップの箇所に位置するように建て込み、所定の時間経過後に、前記構真柱の囲繞板の外側を埋める余盛りコンクリートを斫り取り、かつ、囲繞板の内側および各杭頭処理具の周囲を埋める余盛りコンクリートを斫り取り、前記杭キャップ並びに各杭頭処理具および囲繞板を除去して構真柱の杭頭部を処理することを特徴とする杭頭処理を施す構真柱施工方法。
【発明の詳細な説明】
【技術分野】
【０００１】
本発明は、構築物の基礎杭の一種である構真柱の杭頭部への付着コンクリートの斫りを容易にする構真柱の杭頭処理具および杭頭処理を施した構真柱施工方法に関する。
【背景技術】
【０００２】
最近は階層の建物の工期を短縮して、できるだけ効率良く建物を建設するために、逆打ち工法による工事が採用されて来ている。この工法による工事においては、Ｈ型鋼等を組合わせて十字状に形成した構真柱を、所望の地盤に掘削した竪穴に打設したコンクリート層に建て込み、この構真柱の杭頭部に付着した脆弱な余盛りコンクリートを、構真柱の躯体としての品質を確保するために取り除いている。
【０００３】
この場合、横断面十字状の杭頭部の内側の空間部に付着した余盛りコンクリートを、人手によって斫ることになるので、その斫り作業は、狭い箇所での斫りでもあり、多大な労力と時間を要し、騒音問題等も絡んで大変であった。また、斫り時に構真柱に損傷を与えてしまうといった懸念もあった。
【０００４】
【特許文献１】特開２００１−２２６９５９号公報
【発明の開示】
【発明が解決しようとする課題】
【０００５】
本発明は前記のような点に鑑みて開発されたものであり、その目的とするところは、余盛りコンクリートが不必要に構真柱に付着するのを回避し、かつ構真柱の内側に入り込んだ余盛りコンクリートの斫り作業を従来に比べてより軽減できて、短時間で容易に斫り作業を完了することができる構真柱の杭頭処理具および杭頭処理を施した構真柱施工方法を提供することにある。
【課題を解決するための手段】
【０００６】
請求項１に記載の本発明は、中心部分の横断面が＋状に成るように形成した構真柱の各縦長空間部の所定箇所に取り付けて前記縦長空間部の所定箇所の大部分を埋めるものであって、筒体の一端部を先細に形成すると共に開口両端を蓋で封鎖し更に適宜箇所に複数の空気抜き孔を設けた構成からなることを特徴とする構真柱の杭頭処理具である。
【０００７】
請求項２に記載の本発明は、中心部分の横断面が＋状に成るように形成した構真柱の各縦長空間部の所定箇所に取り付けて前記縦長空間部の所定箇所の大部分を埋めるものであって、網筒体の一端部を先細に形成すると共に開口両端を網蓋で閉じた構成からなることを特徴とする構真柱の杭頭処理具である。
【０００８】
請求項３に記載の本発明は、地盤を所定の深さまで掘削して形成した竪穴に、複数の鉄筋籠を順次連結して建て込むと共に最後に杭キャップを杭頭に備えた鉄筋籠を先の鉄筋籠に連結して建て込み、次に所定の深さまでコンクリートを打設し、次に事前に中心部分の横断面が＋状に成るように形成した構真柱の杭頭部の各縦長空間部に、前記縦長空間部を殆ど埋める下部を先細に形成した杭頭処理具を配して仮止めすると共に、この杭頭処理具を仮止めした箇所の構真柱の周囲を囲繞板で囲繞し仮止めして構真柱の杭頭部の処理を施し、この構真柱をガイド管を介して前記鉄筋籠の中心部に挿入して前記杭頭処理具および囲繞板が前記杭キャップの箇所に位置するように建て込み、所定の時間経過後に、前記構真柱の囲繞板の外側を埋める余盛りコンクリートを斫り取り、かつ、囲繞板の内側および各杭頭処理具の周囲を埋める余盛りコンクリートを斫り取り、前記杭キャップ並びに各杭頭処理具および囲繞板を除去して構真柱の杭頭部を処理することを特徴とする杭頭処理を施した構真柱施工方法である。
【発明の効果】
【０００９】
請求項１記載の本発明の構真柱の杭頭処理具では、構真柱の各縦長空間部の所定箇所に取り付けて前記縦長空間部の所定箇所の大部分を埋めるができるため、地面を掘削した竪穴に建て込んでコンクリートを打設した場合に、この構真柱の内側に付着する余盛りコンクリートの付着量を少なすることができ、また、この余盛りコンクリートを斫る時にも容易に短時間で斫ることができて、労力を低減することができる。さらに、杭頭処理具の一端部を先細に形成してあるので、この一端部を下にして構真柱の所定箇所に仮止めし構真柱を竪穴に建て込むことにより、コンクリートを打設した際に杭頭処理具に対する下からの押上力が低減されて、構真柱から外れてしまうといったことを防止できる。さらに、この杭頭処理具に複数の空気抜き孔を設けてあるので、前記したコンクリートを打設した際に下から押し上げる空気も、筒体内に流入させた後に外に逃がすことができ、杭頭処理具の浮き上がりを確実に防止することができる。
【００１０】
また、請求項２記載の本発明の構真柱の杭頭処理具では、網で全体を形成してあるので、空気抜き孔を新たに形成しなくとも各編目が空気抜き孔の働きをなし、低コストで製造できて、前記した効果と同様の効果を奏することができる。
【００１１】
また、請求項３記載の本発明の杭頭処理を施す構真柱施工方法では、構真柱の杭頭部の周囲を囲繞板で囲繞するとともに、杭頭部の各縦長空間部に中空な杭頭処理具を設けて、この構真柱を竪穴に建て込んでコンクリートを打設するので、前記杭頭部の内外に付着した余盛りコンクリートを斫る場合にも、杭頭部内に付着する余盛りコンクリートの量が少なくなり、斫り作業を簡単に容易に行うことができる。
【発明を実施するための最良の形態】
【００１２】
以下、本発明を実施するための最良の形態を図に基いて説明する。
図１〜図６は本発明にかかる構真柱の杭頭処理具および構真柱の杭頭処理施工方法に関する図である。
【００１３】
先ず本発明にかかる構真柱の杭頭処理具について説明すると、図１の（ａ）は本発明にかかる一例の構真柱の杭頭処理具の平面図、（ｂ）は正面図、（ｃ）は側面図であり、この杭頭処理具１は、図２および図３に示すように中心部分の横断面が＋状に成るように鉄骨で形成した構真柱２の４箇所の各縦長空間部３の平面空間に略相当する挿入可能な大きさの筒体８で、下部４を門松の竹の先端部を斜めにカットしたような形状の先細に形成し、開口している筒体８の上下端を複数の止め板９とねじ９ａを介して蓋５、６で閉鎖し、さらに筒体８と蓋５、６に空気抜き孔７を形成したものである。
【００１４】
空気抜き孔７は、上下の蓋５、６に十字状およびＴ字状に所定間隔を以って複数形成すると共に、筒体８の長手方向に所定間隔を以って上下の蓋５、６の近傍まで１列に形成してある。
【００１５】
また、上端の蓋５には構真柱２に溶接等で一時的に固定できるようにアングル材１０が溶接等で固定してあり、さらに筒体８の下部４には下方に突出するようにして構真柱２に溶接等で一時的に固定できる金属片１１が溶接等で固定してある。
【００１６】
この杭頭処理具１は、掘削した竪穴１２(図６参照)に建て込まれる１本の構真柱２に対して４本使用(図２参照)される。
【００１７】
なお、杭頭処理具１を構成する筒体８は、塩ビ管、スリーブ管、発泡スチロール筒、化学繊維筒、または樹脂筒等で、横断面形状は丸、三角、四角、または円柱を束ねた形状等である。
【００１８】
また、本発明にかかる杭頭処理具は、前記した図示の例の杭頭処理具１に限らず、図示省略するが、例えば前記の例と同様に下部４を先細に形成すると共に、上下端を閉鎖した全体を網で形成した筒体であってもよい。この場合は筒体の各編目が空気抜き孔の機能を発揮することになる。
【００１９】
次に前記した杭頭処理具１を使用した本発明にかかる杭頭処理を施す構真柱施工方法について図４〜図６を参照しながら説明する。
【００２０】
図４（ａ）に示すように先ず構築物を建築する箇所の地盤ＧＬの所定箇所を掘削機で掘削して所定深さ（例えば３０〜４０ｍ）の竪穴１２を掘る。竪穴１２には所定の深さまで水を充填しておく。この竪穴１２に、所定長さの複数の鉄筋籠１７をクレーンで順次吊り上げて連結しながら順次建て込み、最後に杭頭部１５（鉄筋籠の円形状に配した複数の主筋１６の上部）に杭キャップ１４を被せた鉄筋籠１７を建て込む。杭キャップ１４の上端１４ａは、地面ＧＬから７〜８ｍ位の深さ位置である。なお、杭キャップ１４は細長な金属板３５(図３参照)を介して鉄筋籠１７に溶接で仮止めしてある。
【００２１】
次に図４（ｂ）に示すようにガイド管２０をクレーンで吊り上げて竪穴１２内の前記杭キャップ１４を備えた鉄筋籠１７の中心から挿入し、ガイド管２０の下端２０ａが杭キャップ１４の上端１４ａの２ｍ位上まで挿入して、後述する地上に設置したスタンド１９等(図５参照)で支持する。
【００２２】
次にトレミー管１８をガイド管２０の中を通して竪穴１２内に挿入し、図４（ｃ）に示すようにトレミー管１８を介して竪穴１２内に生コンクリートを打設する。この場合、生コンクリートは、杭キャップ１４の下端１４ｂから５００ｍｍ位上方の位置まで打設する。
【００２３】
ここで、前記したスタンド１９等(図５参照)について説明すると、竪穴１２の地上側の地面ＧＬには、竪穴１２の周囲を囲繞するようにしてＨ鋼等によって平面視四角形状に組み立てたスタンド１９が設置してある。
【００２４】
このスタンド１９は、構真柱２を鉄筋籠１７の所定の中央位置に精度良く挿入するための角筒状のガイド管２０を支持するためのものである。スタンド１９の四隅には側方に突出するように当接板２１が設けてあり、スタンド１９の四隅の所望箇所にジャッキ２２を設置してロッド２３の上端を当接板２１に押し当て、ジャッキ２２を操作することによってスタンド１９のレベル高さを調整し、ガイド管２０の鉄筋籠１７に対する傾きを調整する。
【００２５】
また、スタンド１９の内側には、Ｈ鋼等の鋼材によって例えば格子状に組み合わせた支持枠１９ａが設けてあり、この支持枠１９ａに前記ガイド管２０の側面に設けた鍔部２９を載せてガイド管２０を支持している。また、ガイド管２０の上端には、ジャーナルジャッキ２７が設置してある。
【００２６】
構真柱２は、所定長さのＨ鋼のウエブ３３(図２参照)の両側に、Ｔ鋼３４を長手方向に溶接して中心部分の横断面が＋状に成るように形成し、下端寄りの各外面に複数のボルト２４を側方に突出するように溶接した下部柱部２ａと、この下部柱部２ａより大きい外形で前記下部柱部２ａの上端に連結具を介して分離可能に連結した角筒状の上部柱部２ｂ(図４ｄ参照)と、上部柱部２ｂの上端に溶接で連結した補助部材２５(図５参照)と、補助部材２５の側部から側方に水平に突出すように溶接で固定した当接板２６とを少なくとも備えた構造のものである。
【００２７】
構真柱２の当接板２６には、前記ガイド管２０の上端に設置したジャーナルジャッキ２７のロッド２８の上端を当接させ、ジャーナルジャッキ２７を操作してロッド２８を伸縮させることにより、構真柱２の傾き等の調整をする。
【００２８】
前記の構真柱２には、事前に現場で或いは工場等で、構真柱２を竪穴１２の鉄筋籠１７内に挿入し所定位置に設置した際に、下部柱部２ａの所定箇所（本発明にかかる構真柱２の杭頭部２ｃ）、すなわち前記鉄筋籠１７の杭キャップ１４の位置する下部柱部２ａの内側の仕切られた４箇所の縦長空間部３に、前記杭頭処理具１を挿入し、各杭頭処理具１の前記アングル材１０および囲繞板片１１を下部柱部２ａに溶接で仮止めして固定しておく。さらに、この箇所の下部柱部２ａの周囲には、鋼板等の囲繞板３１を巻きつけて溶接で下部柱部２ａに固定しておく(図２参照)。
【００２９】
次に図４（ｄ）（ｆ）に示すように前記竪穴１２内の所定の深さ位置までコンクリートを打設した後は、前記杭頭処理具１および囲繞板３１を備えた構真柱２をクレーンで吊り下げてガイド管２０の中を通し、打設した生コンクリート内に下部柱部２ａを埋め込む。
【００３０】
この際、下部柱部２ａと上部柱部２ｂとの連結部３０が地面ＧＬから５００ｍｍ位下方の位置に設定して、前記ガイド管２０(図５参照)の上端に設置したジャーナルジャッキ２７のロッド２８を、前記補助部材２５の当接板２６に当接させて構真柱２の傾き等をジャーナルジャッキ２７を操作して調整する。この時、構真柱２の杭頭処理具１および囲繞板３１は、杭キャップ１４の箇所に位置している。
【００３１】
前記のようにして打設した生コンクリート内に構真柱２の下部柱部２ａを埋め込んだことにより、生コンクリートの上面は、杭キャップ１４の上端１４ａ方向に１００ｍｍ位上昇する（図４（ｅ）参照）。この状態で１日位生コンクリートを養生して生コンクリートの固化を待つ。
【００３２】
養生後は、ジャッキ２２、ジャーナルジャッキ２７、ガイド管２０、スタンド１９を撤去すると共に、構真柱２の連結部３０から上部柱部２ｂを下部柱部２ａから分離して撤去する（図４（ｆ）参照）。
【００３３】
次に竪穴１２内の杭キャップ１４の周囲の余盛りコンクリート斫り取り、杭キャップ１４を除去する。次に構真柱２の上部柱部２ｂに巻いた囲繞板３１までの余盛りコンクリート斫り取り、前記囲繞板３１を除去する。さらに上部柱部２ｂと各杭頭処理具１との隙間に入り込んでいる余盛りコンクリートを斫り取ると共に各杭頭処理具１を上部柱部２ｂから外して撤去する。
【００３４】
このようにした後に、図４（ｇ）に示すように固化した打設コンクリートの上面から地面ＧＬまでの竪穴１２の空洞部３２に生コンクリートを充填して埋める。この空洞部３２を生コンクリートで埋めると共に、構真柱２の上部柱部２ｂの連結部３０に、地上の構築物の３階位までの柱部材を順次連結する。
【００３５】
このようにして施工する本発明の杭頭処理を施した構真柱施工方法によれば、構真柱２の杭頭部２ｃの内側の空間の大部分を複数の杭頭処理具１で埋めるため、この個所に打設した生コンクリートの余盛りコンクリートが前記の空間に多量に入り込んで固化するのを防止でき、斫り作業の手間を軽減できすることができる。また、構真柱２の杭頭部２ｃの周囲の杭キャップ１４の周囲も囲繞板３１で囲繞してある。そのためコンクリートを斫る時に囲繞板３１を除去して前記杭頭処理具１までの隙間に入り込んだ余盛りコンクリートもあまり厚くなく容易に斫ることができる。
【００３６】
なお、杭頭処理具は、構真柱の＋状に仕切られた各縦長空間部の大きさに応じて適宜その大きさ、長さ、形状を変更するも自由であり、また材質も適宜変更してもよく、さらに、一端部を先細にする形状も図示の例に限定されるものではなく、先細になるように両側から切欠したような形状、その他の形状であってもよい。勿論、両端が平行に対峙して平坦な形状の杭頭処理具であってもよい。
【図面の簡単な説明】
【００３７】
【図１】本発明の一例の杭頭処理具１であって（ａ）は平面図、（ｂ）は正面図、（ｃ）は側面図である。
【図２】本発明の杭頭処理具１を使用した構真柱の施工状態を示す平面視した説明図である。
【図３】本発明の杭頭処理具１を使用した構真柱の施工状態を示す説明図である。
【図４】本発明の一例の施工工程を示す説明図である。
【図５】本発明の施工時における地上での施工状態の説明図である。
【図６】本発明の施工時における構真柱の杭頭部およびその周囲を示す説明図である。
【符号の説明】
【００３８】
１      杭頭処理具
２      構真柱
２ｃ    構真柱の杭頭部
３      縦長空間部
５，６  蓋
７      空気抜き孔
８      筒体
１２    竪穴
１４    杭キャップ
１７    鉄筋籠
２０    ガイド管
３１    囲繞板
ＧＬ    地盤
【図１】
2006200286.tif 000003
【図２】
2006200286.tif 000004
【図３】
2006200286.tif 000005
【図４】
2006200286.tif 000006
【図５】
2006200286.tif 000007
【図６】
2006200286.tif 000008